(57)【要約】      （修正有）【課題】充填物の封止開口を鋏やカッター等の手動利器を使わずに一直線状の引き裂きによりその封止開口の一部を開封できる米等の包装袋に関し、主として精米を充填したポリエチレンチューブ袋から別容器に移し換える際、その引裂き部の封止開口の全長を手で引き千切っても封止開口の一部だけが開封されて大容量の充填物が一挙に溢れ出ないようにした米又は園芸用培養土等の収容袋を提供する。【解決手段】上下段に段付きで線状のヒートシール部５１・５２を設けると共に、当該上下段のヒートシール部５１・５２を所定高さｈの縦ヒートシール部５３で接続し、上記上段のヒートシール部５１・５２の間及び下位のヒートシール部５２の直下の縦縁辺に一方向性で直線的に切り裂くための溶着部付きノッチ部６を設ける。【選択図】図１
0003178317.tif 000002
【実用新案登録請求の範囲】
【請求項１】
インフレーション成形したポリエチレン製チューブ体(t)で袋体(1)を成形し、その上部封止の開口(2)の横幅(W)の全長にわたって上下段に段付きで線状のヒートシール部(51)・(52)を設けると共に、当該上下段のヒートシール部(51)・(52)を所定高さ(h)の縦線状ヒートシール部(53)で接続し、上記上下段のヒートシール部(51)・(52)の間及び下段のヒートシール部(52)の直下の縦縁辺に一方向性で直線的に引き裂くための溶着部(5′)・(5″)付きノッチ部(6)・(62)を設け、中身(r)を充填した袋体下部開口縁辺をヒートシールしたことを特徴とするインフレーション成形したチューブ体で加工する封止開口を一直線状の引裂きによりその一部を開封できるポリエチレン製米等の包装袋。
【請求項２】
上部封止の開口(2)の横幅(W)の全長にわたって上段と下段の所定高さ(h)で弧状形もしくは波状形の非直線状ヒートシール部(5)を設け、当該所定高さの間と下位の直下に溶着部付きノッチ部(6)を設けた請求項１記載の米等の包装袋。
【考案の詳細な説明】
【技術分野】
【０００１】
本考案は、インフレーション成形した密封チューブ体の上部開口を鋏やカッターナイフ等を使わずに一直線状の引き裂きにより、その一部を開封できるポリエチレン製米等の包装袋に関し、主として米を充填したポリエチレンチューブ袋から別容器に移し換える際、その開口部位における引裂き部から横幅の全長に渡って引き裂ききっても開口の一部だけが開封されて米が一挙に溢れ出ないようにした米袋を提供する。また、米以外の園芸用の培養土や腐葉土の収容にも適する包装袋を提供するものである。
【背景技術】
【０００２】
一般に、ポリエチレン包装袋に１ｋｇないし１０ｋｇ入りの米を封入した米袋からその米を取り出す場合、封入した直線状のヒートシール部の直下辺を当該シール部に沿って鋏やカッターナイフを用いて開封することが行われる。
【０００３】
上記の鋏やカッターナイフ等の手動利器を用いる理由は、従来の包装袋の封止開口におけるヒートシール部は、三層程度のポリエチレンチューブ製包装袋の開口上辺に設けられていて、強度や耐久性等の観点から高強度の二軸延伸された積層フィルムが広く用いられていることによる。
【０００４】
この場合、上記の包装袋の封止開口を手で引き裂くことができると開封に手間がかかる鋏やカッターを使わずに済んで便利であるが、この種の包装袋の強度や耐久性等の観点から高強度の二軸延伸された積層フィルムが広く用いられている。
【０００５】
そのため、封止開口下側の引裂き開始端部に切込みやノッチを設けることにより開封の引裂き開始は容易であるが、前記強度や耐久性等の観点から高強度の二軸延伸された積層フィルムを用いているので真っ直ぐに切れないどころか、むしり取るようにささくれ立つようになって引裂き方向が定まらずに引き裂くこと自体が困難であると共に、その裂き口がささくれ立って引裂き滓が飛散するおそれがある。
【０００６】
そこで、従来にあっても複数層に積層した合成樹脂製フィルム包装袋の封止開口を手で容易に引き裂くことができる包装袋が開示されている。
【０００７】
例えば、第１に一方向易引き裂き性フィルムのもう一方の面にシール層を設けた複合フィルムを使用した袋の上部開封部のノッチを設けた袋（特許文献１）、第２に二軸延伸ポリエステルまたはポリアミドフィルムを用いた袋の上部に設けたジッパーと上辺シール部の間に両端にノッチを設けたもの（特許文献２）、第３に無延伸ポリプロピレンフィルムを使用した包装袋の頂部シール部に延長する下部に切り裂き開始用の切り込みを設けたもの（特許文献３）、第４に１層以上のフィルムを有する基材シートに積層されているポリオレフィン系樹脂による熱シール用樹脂層との包装用材によって形成されている密封袋の上部に裂傷が付されている帯域を設け、その帯域の端部にノッチを設けたもの（特許文献４）等がある。
【０００８】
また、第５にアルミ等の薄膜を蒸着したフィルムを含む三層構造の２枚の矩形フィルムを重ねてその周縁を熱接着して１２０×１６５（ｍｍ）の包装袋を製造し、且つその収容部に内容物として球形状アイスボールの氷菓と共に空気を封入し、且つ内容物の取出口に個別取出部を設けたもの（特許文献５）がある。
【先行技術文献】
【特許文献】
【０００９】
【特許文献１】特開２００４−１８９３１２号公開公報
【特許文献２】特開２００２−２６４９５０号公開公報
【特許文献３】特開平  ８−３３７２５１号公開公報
【特許文献４】実開平  ３−  ５３４４７号公開公報
【特許文献５】特開２０１１−１６２２４５号公開公報
【考案の概要】
【考案が解決しようとする課題】
【００１０】
上記特許文献１〜４の各包装袋は、開封開始端から一方向性に直線的に開封し易くなっているが、その開封部を開始端から終端までに渡って引き裂くと封止開口が全部開くことになる。したがって、包装されている中身を小出しに移し換えたいような場合には不向きである。
【００１１】
特許文献５にあっては、アルミ等の薄膜を蒸着したフィルムを含む三層構造の２枚の矩形フィルムを重ねてその周縁を熱接着した構造であるため、袋体の周囲を幅広で溶着し、その袋体上部を幅広の溶着部位の中に沿って引き裂くことによってその密封開口の一部を開封する。これに対して本考案のようにアルミ蒸着加工していないポリエチレン製袋にあっては、溶着部位の中を直線状に引き裂くことは困難である。
【００１２】
また、特許文献５は、内容物が直径２５ｍｍ程度のアイスボールを十数個収容する小容量の包装袋であると共に内容物の関係で例えばアイスボールの直径に合わせるために２５ｍｍ程度の厚みを適度に保つために袋内部に空気を封入して包装袋を膨らませる構造である。これに対し、最大１０ｋｇ程度の流通用の米袋にあっては、米を充填してそのまま密封すると、内部に空気が残留して米袋が膨らんでしまい、倉庫に保管したり、店頭に積み重ねて置くには滑り易く崩れてしまう不都合がある。そのために米袋内の残留空気を除去する工夫がなされているものであり、米袋内に米の充填と共に空気を入れることは好ましくない。また、最大３０リットル入りの園芸用の培養土や腐葉土を充填した包装袋を積み重ねて置く場合も米袋と同様の不都合がある。
【課題を解決するための手段】
【００１３】
そこで、本考案は従来の手動利器を使用しての包装袋のカットによる開封ではなく、手で引き裂く開封ができるようにすると共に、アルミ蒸着加工していないポリエチレン製袋の封止開口の一部を開封して比較的大容量の米等の小粒状充填物を小出しに取り出し、又は封止開口の全部を開封して袋内の米等の中身を残らず取り出せるようにしたものである。
【００１４】
本考案の第１は、インフレーション成形したチューブ体で加工する封止開口を直線状の引裂きによりその一部を開封できるポリエチレン製米等の包装袋において、インフレーション成形によって加工した１ｋｇないし１０ｋｇ入りのポリエチレン製チューブ体で袋体を成形し、その上部封止開口の横幅の全長にわたって上下段に段付きのヒートシール部を設けると共に、当該上下段のヒートシール部を所定高さの縦ヒートシール部で接続し、上記上下段のヒートシール部の間及び下段のヒートシール部の直下の縦縁辺に一方向性で直線的に引き裂くための溶着部付きノッチ部を設け、中身となる米等を充填した袋体下部開口縁辺をヒートシールしたものである。
【００１５】
本考案の第２は、第１の考案に係るインフレーション成形したチューブ体の封止開口を直線状の引き裂きによりその一部を開封できるポリエチレン製米等の包装袋において、上部封止開口の横幅の全長にわたって上位と下位の所定高さで弧状形もしくは波状形の非直線状ヒートシール部を設け、当該所定高さの間と当該ヒートシール部の直下に溶着部付き引裂き用ノッチ部を設けたものである。
【考案の効果】
【００１６】
本考案は上記の構成であるから次のような効果がある。すなわち、引裂き開始端から線状のヒートシール部に沿ってその近傍を終端に至るまで引き裂くと通常の封止開口は全開するが、本考案にあっては、アルミ蒸着加工していないポリエチレン製袋の封止開口の一部を一直線に開封して中の米を小出しにして移し換えすることができる。
そして、最後に引裂き部位の下部に位置する切込み又はノッチ部から引き裂いて封止開口を全開して残りの米を全部取り出すことができる。
【図面の簡単な説明】
【００１７】
【図１】図１は本考案に係るインフレーション成形によるポリエチレン製米等の包装袋の斜視図である。
【図２】図２は図１のインフレーション成形工程におけるチューブ体に非一直線状のヒートシール部を成形した正面図である。
【図３】図３は非直線形のヒートシール部の他の実施例の正面図である。
【図４】図４は非水平線形のヒートシール部のさらに別の実施例の正面図である。
【図５】図５は包装袋の上部に設けた略２等辺の台形にヒートシール部を成形した正面図である。
【図６】図６は包装袋の縦辺部に所定長さで成形したヒートシール部にノッチ部または切込みを形成した正面図である。
【考案を実施するための形態】
【００１８】
本考案を実施するための形態は次のとおりである。
充填した米又は園芸用の培養土を取り出す封止開口を直線状の引き裂きによりその一部を開封できる米等の包装袋において、引裂き開始端から終端までの間を一方向性で直線的に引き裂き切ったときに封止開口の一部が開封できるように線状のヒートシール部を設ける。
【００１９】
充填物の封止開口を直線状の引き裂きによりその一部を開封できる包装袋において、袋体の上部の引裂き開始端から終端の間を一方向性で非直線的に引き裂き切ったときに封止開口の一部が開封できるようにするためにヒートシール部を弧状状形もしくは波状形の非直線形又は斜線の非水平線状に成形する。
【００２０】
なお、この米等の包装袋において、袋体の縦辺に引裂き用ノッチ部を形成するための溶着部を引裂き開始端の上下部に設け、これに開始端から終端まで直線的に水平方向に進む引裂き用のノッチ部を設けてある。
【実施例】
【００２１】
次に、本考案の実施例を図面に沿って説明する。
図１及び図２は精米５ｋｇ入り用の米袋であって、１はインフレーション成形加工したポリエチレン製チューブ体ｔで製作した袋体であり、長さＬ方向の上部を中身ｒの米の取出し用開口２とし、下部を米充填用開口３′とし、当該下部開口から中身ｒとする米を充填した後、開口底辺に沿ってヒートシール部５ｎを設けて有底部３とする。４は袋体の縦辺であり、その両側又は片側に上下２段のノッチ部成形用溶着部５′・５″が設けられている。６・６′はその溶着部５′・５″に設けた上下２段の引裂き用ノッチ部であり、当該ノッチ部には横一文字の切込み部も含まれる。７は袋体１の上段ノッチ部６及び上段溶着部５′より上部に位置する引裂き余剰片である。
【００２２】
図３は袋体１の上部における、上下２段の段付きで水平状のヒートシール部５（５１・５２）を中央部において縦線状のヒートシール部５３で繋いで略クランク形を成している。
【００２３】
図４は袋体１の略中央部に２等辺の傾斜線状のヒートシール部５３を成形して略台形に形成したものを示す。
【００２４】
図５は袋体１の全幅Ｗにわたって所定の高さｈで弧線状のヒートシール部５１・５２を設け、当該高さｈの間に引裂き用ノッチ部６を設けてある。
【００２５】
図６は袋体１の全幅Ｗにわたって所定の高さｈで円弧線状のヒートシール部５１・５２を設け、当該高さｈの間に上下の引裂き用溶着部５′・５″付きのノッチ部６・６′を設けてある。
【００２６】
上記のノッチ部６は、ヒートシール部５（５１・５２）の一部を延長して封止開口２の一部２′を開口するためであり、当該ノッチ部成形部位には、次位の袋体の底部３を成形するためのヒートシール部５を中身ｒとする米の充填後に成形すると共に、横Ｖ字形又は横一文字の切込み部６を成形する。
【００２７】
「具体的な袋体工作工程及び米の充填・取出例」
（１）フレーション成形によって一方向性で直線的に引き裂き切れる性質のポリエチレンチューブ体ｔを公知の製袋機にかけて所定のサイズ（例えば、精米５ｋｇ入りで高さＨ４７０ｍｍ×幅２８０ｍｍ）に設定した上部の開口２の縦縁辺の一端から全幅Ｗ（２８０ｍｍ）の３分の１（約９３ｍｍ）程度の横幅ｗ′で上段の水平線状ヒートシール部５１を設け、その端部から段付きで縦線状ヒートシール部５３を所定高さｈで成形し、その下がった位置に端部を縦線状ヒートシール部５３に接続した下段の水平線状ヒートシール部５２を成形し、当該高さｈの間と下段ヒートシール部５２の直下に引裂き用ノッチ部６・６′を設けてある（図１、図２）。
（２）次に、袋体１の下部開口３′から中身ｒとなる米（例えば、精米５ｋｇ）を充填する。
（３）米を充填した袋体１の下部開口縁辺に沿ってヒートシール部５ｎを設けて封止して当該封止部を底部３とする。
（４）袋体１に充填した精米を移し替えるために取り出す場合には、上下段の水平線状ヒートシール部５１・５２の間の引裂き開始端ｘのノッチ部６から引き裂いていくと、縦線状のヒートシール部５３を通過しながら一直線に対向側の引裂き終端ｙに至り、封止開口２の一部２１だけが開封される。同時に余剰片７が袋体１から切り離される。
（５）最後に下段ヒートシール部５２の直下に位置するノッチ部６′から引き裂いて封止開口２′を全開して充填物の残量を取り出す。
【００２８】
上記段落「００２７」の（１）の袋体１における上段開口部位のヒートシール部５の他の実施例として次のものがある。
「その１」：袋体１の上部に所定高さｈで上下２段の水平線形のヒートシール部５１・５２を全幅Ｗの２分の１の位置において縦線状のヒートシール部５３で繋いで略クランク形（左右のクランクをクランク軸で繋いだ形状）にして開口２の全幅Ｗを封止し、当該高さｈの間に引裂き用ノッチ部６を設けたものである（図３）。この場合は、封止開口２の一部２１が開封する。
「その２」：袋体１の上段の中央部に全幅の約５分の１程度の水平線状のヒートシール部５１を設け、その両端に傾斜縦線状のヒートシール部５２を成形し、下段の水平線状のヒートシール部５２によって開口２の全幅Ｗを封止し、当該山と谷の高さｈの間に引裂き用ノッチ部６を設けたものである（図４）。この場合は、封止開口の中央部の一部２１が開封する。
「その３」：袋体１の全幅Ｗにわたって所定の高さｈで弧状を成す山と谷の波形のヒートシール部５１・５２を設け、当該高さｈの間に引裂き用ノッチ部６が設けられている（図５）。この場合は、円弧山部の封止開口２１の部分だけが開封する。
「その４」：袋体１の全幅Ｗにわたって所定の高さｈで円弧線状のヒートシール部５１・５２を設け、当該高さｈの間に引裂き用ノッチ部６が設けられている（図６）。この場合は、封止開口２の中央山部５１の部分だけが幅ｗ１にわたって封止開口２１が開封される。
【産業上の利用可能性】
【００２９】
本考案は、主として５ｋｇの精米の包装袋に適用しているが、１ｋｇ〜１０ｋｇ程度の米袋としては比較的小容量から大容量の米袋に適用できると共に、また１リットルないし５０リットル入りの園芸用腐葉土や培養土の収容袋として使用することもできる
【符号の説明】
【００３０】
１…袋体
２…封止開口
３…底部
３′…下部開口
４…袋体の縦辺
５…ヒートシール部
５１…上段のヒートシール部
５２…下段のヒートシール部
５ｎ…下部開口縁編辺のヒートシール部
５′…上段のノッチ部用溶着部
５″…下段のノッチ部用溶着部
６…上段の溶着部に設けたノッチ部
６′…下段の溶着部に設けたノッチ部（一文字の切込み部を含む）
７…引裂き部位の余剰片
ｒ…米又はその他の穀物、園芸用の培養土又は腐葉土の中身
【図１】
0003178317.tif 000003
【図２】
0003178317.tif 000004
【図３】
0003178317.tif 000005
【図４】
0003178317.tif 000006
【図５】
0003178317.tif 000007
【図６】
0003178317.tif 000008
【手続補正書】
【提出日】平成24年6月26日(2012.6.26)
【手続補正１】
【補正対象書類名】明細書
【補正対象項目名】全文
【補正方法】変更
【補正の内容】
【考案の詳細な説明】
【技術分野】
【０００１】
本考案は、インフレーション成形した密封チューブ体の上部開口を鋏やカッターナイフ等を使わずに一直線状の引き裂きにより、その一部を開封できるポリエチレン製米等の包装袋に関し、主として米を充填したポリエチレンチューブ袋から別容器に移し換える際、その開口部位における引裂き部から横幅の全長に渡って引き裂ききっても開口の一部だけが開封されて米が一挙に溢れ出ないようにした米袋を提供する。また、米以外の園芸用の培養土や腐葉土の収容にも適する包装袋を提供するものである。
【背景技術】
【０００２】
一般に、ポリエチレン包装袋に１ｋｇないし１０ｋｇ入りの米を封入した米袋からその米を取り出す場合、封入した直線状のヒートシール部の直下辺を当該シール部に沿って鋏やカッターナイフを用いて開封することが行われる。
【０００３】
上記の鋏やカッターナイフ等の手動利器を用いる理由は、従来の包装袋の封止開口におけるヒートシール部は、三層程度のポリエチレンチューブ製包装袋の開口上辺に設けられていて、強度や耐久性等の観点から高強度の二軸延伸された積層フィルムが広く用いられていることによる。
【０００４】
この場合、上記の包装袋の封止開口を手で引き裂くことができると開封に手間がかかる鋏やカッターを使わずに済んで便利であるが、この種の包装袋の強度や耐久性等の観点から高強度の二軸延伸された積層フィルムが広く用いられている。
【０００５】
そのため、封止開口下側の引裂き開始端部に切込みやノッチを設けることにより開封の引裂き開始は容易であるが、前記強度や耐久性等の観点から高強度の二軸延伸された積層フィルムを用いているので真っ直ぐに切れないどころか、むしり取るようにささくれ立つようになって引裂き方向が定まらずに引き裂くこと自体が困難であると共に、その裂き口がささくれ立って引裂き滓が飛散するおそれがある。
【０００６】
そこで、従来にあっても複数層に積層した合成樹脂製フィルム包装袋の封止開口を手で容易に引き裂くことができる包装袋が開示されている。
【０００７】
例えば、第１に一方向易引き裂き性フィルムのもう一方の面にシール層を設けた複合フィルムを使用した袋の上部開封部のノッチを設けた袋（特許文献１）、第２に二軸延伸ポリエステルまたはポリアミドフィルムを用いた袋の上部に設けたジッパーと上辺シール部の間に両端にノッチを設けたもの（特許文献２）、第３に無延伸ポリプロピレンフィルムを使用した包装袋の頂部シール部に延長する下部に切り裂き開始用の切り込みを設けたもの（特許文献３）、第４に１層以上のフィルムを有する基材シートに積層されているポリオレフィン系樹脂による熱シール用樹脂層との包装用材によって形成されている密封袋の上部に裂傷が付されている帯域を設け、その帯域の端部にノッチを設けたもの（特許文献４）等がある。
【０００８】
また、第５にアルミ等の薄膜を蒸着したフィルムを含む三層構造の２枚の矩形フィルムを重ねてその周縁を熱接着して１２０×１６５（ｍｍ）の包装袋を製造し、且つその収容部に内容物として球形状アイスボールの氷菓と共に空気を封入し、且つ内容物の取出口に個別取出部を設けたもの（特許文献５）がある。
【先行技術文献】
【特許文献】
【０００９】
【特許文献１】特開２００４−１８９３１２号公開公報
【特許文献２】特開２００２−２６４９５０号公開公報
【特許文献３】特開平  ８−３３７２５１号公開公報
【特許文献４】実開平  ３−  ５３４４７号公開公報
【特許文献５】特開２０１１−１６２２４５号公開公報
【考案の概要】
【考案が解決しようとする課題】
【００１０】
上記特許文献１〜４の各包装袋は、開封開始端から一方向性に直線的に開封し易くなっているが、その開封部を開始端から終端までに渡って引き裂くと封止開口が全部開くことになる。したがって、包装されている中身を小出しに移し換えたいような場合には不向きである。
【００１１】
特許文献５にあっては、アルミ等の薄膜を蒸着したフィルムを含む三層構造の２枚の矩形フィルムを重ねてその周縁を熱接着した構造であるため、袋体の周囲を幅広で溶着し、その袋体上部を幅広の溶着部位の中に沿って引き裂くことによってその密封開口の一部を開封する。これに対して本考案のようにアルミ蒸着加工していないポリエチレン製袋にあっては、溶着部位の中を直線状に引き裂くことは困難である。
【００１２】
また、特許文献５は、内容物が直径２５ｍｍ程度のアイスボールを十数個収容する小容量の包装袋であると共に内容物の関係で例えばアイスボールの直径に合わせるために２５ｍｍ程度の厚みを適度に保つために袋内部に空気を封入して包装袋を膨らませる構造である。これに対し、最大１０ｋｇ程度の流通用の米袋にあっては、米を充填してそのまま密封すると、内部に空気が残留して米袋が膨らんでしまい、倉庫に保管したり、店頭に積み重ねて置くには滑り易く崩れてしまう不都合がある。そのために米袋内の残留空気を除去する工夫がなされているものであり、米袋内に米の充填と共に空気を入れることは好ましくない。また、最大３０リットル入りの園芸用の培養土や腐葉土を充填した包装袋を積み重ねて置く場合も米袋と同様の不都合がある。
【課題を解決するための手段】
【００１３】
そこで、本考案は従来の手動利器を使用しての包装袋のカットによる開封ではなく、手で引き裂く開封ができるようにすると共に、アルミ蒸着加工していないポリエチレン製袋の封止開口の一部を開封して比較的大容量の米等の小粒状充填物を小出しに取り出し、又は封止開口の全部を開封して袋内の米等の中身を残らず取り出せるようにしたものである。
【００１４】
本考案の第１は、インフレーション成形したチューブ体で加工する封止開口を直線状の引裂きによりその一部を開封できるポリエチレン製米等の包装袋において、インフレーション成形によって加工した１ｋｇないし１０ｋｇ入りのポリエチレン製チューブ体で袋体を成形し、その上部封止開口の横幅の全長にわたって上下段に段付きのヒートシール部を設けると共に、当該上下段のヒートシール部を所定高さの縦ヒートシール部で接続し、上記上下段のヒートシール部の間及び下段のヒートシール部の直下の縦縁辺に一方向性で直線的に引き裂くための溶着部付きノッチ部を設け、中身となる米等を充填した袋体下部開口縁辺をヒートシールしたものである。
【００１５】
本考案の第２は、第１の考案に係るインフレーション成形したチューブ体の封止開口を直線状の引き裂きによりその一部を開封できるポリエチレン製米等の包装袋において、上部封止開口の横幅の全長にわたって上位と下位の所定高さで弧状形もしくは波状形の非直線状ヒートシール部を設け、当該所定高さの間と当該ヒートシール部の直下に溶着部付き引裂き用ノッチ部を設けたものである。
【考案の効果】
【００１６】
本考案は上記の構成であるから次のような効果がある。すなわち、引裂き開始端から線状のヒートシール部に沿ってその近傍を終端に至るまで引き裂くと通常の封止開口は全開するが、本考案にあっては、上記と同様に引き裂いてもアルミ蒸着加工していないポリエチレン製袋の封止開口の一部を一直線に開封して中の米を小出しにして移し換えすることができる。
そして、最後に引裂き部位の下部に位置する切込み又はノッチ部から引き裂いて封止開口を全開して残りの米を全部取り出すことができる。
【図面の簡単な説明】
【００１７】
【図１】図１は本考案に係るインフレーション成形によるポリエチレン製米等の包装袋の斜視図である。
【図２】図２は図１のインフレーション成形工程におけるチューブ体に非一直線状のヒートシール部を成形した正面図である。
【図３】図３は図１のヒートシール部の別の実施例（非一直線状形）を示す正面図である。
【図４】図４は図１のヒートシール部の別の実施例（略台形）を示す正面図である。
【図５】図５は図１のヒートシール部の別の実施例（弧状形）を示す正面図である。
【図６】図６は図１のヒートシール部の別の実施例（波状形）を示す正面図である。
【考案を実施するための形態】
【００１８】
本考案を実施するための形態は次のとおりである。
充填した米又は園芸用の培養土を取り出す封止開口を直線状の引き裂きによりその一部を開封できる米等の包装袋において、引裂き開始端から終端までの間を一方向性で直線的に引き裂き切ったときに封止開口の一部が開封できるように線状のヒートシール部を設ける。
【００１９】
充填物の封止開口を直線状の引き裂きによりその一部を開封できる包装袋において、袋体の上部の引裂き開始端から終端の間を一方向性で非直線的に引き裂き切ったときに封止開口の一部が開封できるようにするためにヒートシール部を弧状形もしくは波状形の非直線形又は斜線の非水平線状に成形する。
【００２０】
なお、この米等の包装袋において、袋体の縦辺に引裂き用ノッチ部を形成するための溶着部を引裂き開始端の上下部に設け、これに開始端から終端まで直線的に水平方向に進む引裂き用のノッチ部を設けてある。
【実施例】
【００２１】
次に、本考案の実施例を図面に沿って説明する。
図１及び図２は精米５ｋｇ入り用の米袋であって、１はインフレーション成形加工したポリエチレン製チューブ体ｔで製作した袋体であり、長さＬ方向の上部を中身ｒの米の取出し用開口２とし、下部を米充填用開口３′とし、当該下部開口から中身ｒとする米を充填した後、開口底辺に沿ってヒートシール部５ｎを設けて有底部３とする。４は袋体の縦辺であり、その両側又は片側に上下２段のノッチ部成形用溶着部５′・５″が設けられている。６・６′はその溶着部５′・５″に設けた上下２段の引裂き用ノッチ部であり、当該ノッチ部には横一文字の切込み部も含まれる。７は袋体１の上段ノッチ部６及び上段溶着部５′より上部に位置する引裂き余剰片である。図中、ｌ・ｌ′は仮想引裂き線を示す。
【００２２】
図３は袋体１の上部における、上下２段の段付きで水平状のヒートシール部５（５１・５２）を中央部において縦線状のヒートシール部５３で繋いで略クランク形を成している。
【００２３】
図４は袋体１の略中央部に２等辺の傾斜線状のヒートシール部５３を成形して略台形に形成したものを示す。
【００２４】
図５は袋体１の全幅Ｗにわたって所定の高さｈで波状形のヒートシール部５１・５２を設け、当該高さｈの間に引裂き用ノッチ部６を設けてある。
【００２５】
図６は袋体１の全幅Ｗにわたって所定の高さｈで円弧線状のヒートシール部５１・５２を設け、当該高さｈの間に引裂き用溶着部５′付きのノッチ部６を設けてある。そして、円弧線状のヒートシート部５２の直下に引裂き用ノッチ部６′を設けてある。
【００２６】
上記のノッチ部６は、ヒートシール部５（５１・５２）の一部を延長して封止開口２の一部２１を開口するためであり、当該ノッチ部成形部位には、次位の袋体の底部３を成形するためのヒートシール部５を中身ｒとする米の充填後に成形すると共に、横Ｖ字形又は横一文字の切込み部を成形する。
【００２７】
「具体的な袋体工作工程及び米の充填・取出例」
（１）フレーション成形によって一方向性で直線的に引き裂き切れる性質のポリエチレンチューブ体ｔを公知の製袋機にかけて所定のサイズ（例えば、精米５ｋｇ入りで高さＨ４７０ｍｍ×幅２８０ｍｍ）に設定した上部の開口２の縦縁辺の一端から全幅Ｗ（２８０ｍｍ）の３分の１（約９３ｍｍ）程度の横幅ｗ′で上段の水平線状ヒートシール部５１を設け、その端部から段付きで縦線状ヒートシール部５３を所定高さｈで成形し、その下がった位置に端部を縦線状ヒートシール部５３に接続した下段の水平線状ヒートシール部５２を成形し、当該高さｈの間と下段ヒートシール部５２の直下に引裂き用ノッチ部６・６′を設けてある（図１、図２）。そして、所定の長さＬでチューブ体ｔをカットする。
（２）次に、袋体１の下部開口３′から中身となる米ｒ（例えば、精米５ｋｇ）を充填する。
（３）米を充填した袋体１の下部開口縁辺に沿ってヒートシール部５ｎを設けて封止して当該封止部を底部３とする。
（４）袋体１に充填した精米を移し替えるために取り出す場合には、上下段の水平線状ヒートシール部５１・５２の間の引裂き開始端ｘのノッチ部６から仮想引裂き線ｌに沿って引き裂いていくと、縦線状のヒートシール部５３を通過しながら一直線に対向側の引裂き終端ｙに至り、封止開口２の一部２１だけが開封される。同時に余剰片７が袋体１から切り離される。
（５）最後に下段ヒートシール部５２の直下に位置するノッチ部６′から仮想引裂き線ｌ′に沿って引き裂いて封止開口２′を全開して充填物の残量を取り出す。
【００２８】
上記段落「００２７」の（１）の袋体１における上段開口部位のヒートシール部５の他の実施例として次のものがある。
「その１」：袋体１の上部に所定高さｈで上下２段の水平線形のヒートシール部５１・５２を全幅Ｗの２分の１の位置において縦線状のヒートシール部５３で繋いで略クランク形（左右のクランクをクランク軸で繋いだ形状）にして開口２の全幅Ｗを封止し、当該高さｈの間に引裂き用ノッチ部６を設けたものである（図３）。この場合は、封止開口２の一部２１が開封する。
「その２」：袋体１の上段の中央部に全幅の約５分の１程度の水平線状のヒートシール部５１を設け、その両端に傾斜縦線状のヒートシール部５２を成形し、下段の水平線状のヒートシール部５２によって開口２の全幅Ｗを封止し、当該山と谷の高さｈの間に引裂き用ノッチ部６を設けたものである（図４）。この場合は、封止開口の中央部の一部２１が開封する。
「その３」：袋体１の全幅Ｗにわたって所定の高さｈで弧状を成す山と谷の波形のヒートシール部５１・５２を設け、当該高さｈの間に引裂き用ノッチ部６が設けられている（図５）。この場合は、円弧山部の封止開口２１の部分だけが開封する。
「その４」：袋体１の全幅Ｗにわたって所定の高さｈで円弧線状のヒートシール部５１・５２を設け、当該高さｈの間に引裂き用ノッチ部６が設けられている（図６）。この場合は、封止開口２の中央山部５１の部分２１だけが幅ｗ１にわたって開封される。
【産業上の利用可能性】
【００２９】
本考案は、主として５ｋｇの精米の包装袋に適用しているが、１ｋｇ〜１０ｋｇ程度の米袋としては比較的小容量から大容量の米袋に適用できると共に、また１リットルないし５０リットル入りの園芸用腐葉土や培養土の収容袋として使用することもできる
【符号の説明】
【００３０】
１…袋体
２…封止開口
３…底部
３′…下部開口
４…袋体の縦辺
５…ヒートシール部
５１…上段のヒートシール部
５２…下段のヒートシール部
５ｎ…下部開口縁編辺のヒートシール部
５′…上段のノッチ部用溶着部
５″…下段のノッチ部用溶着部
６…上段の溶着部に設けたノッチ部
６′…下段の溶着部に設けたノッチ部（一文字の切込み部を含む）
７…引裂き部位の余剰片
ｒ…米又はその他の穀物、園芸用の培養土又は腐葉土の中身
【手続補正２】
【補正対象書類名】実用新案登録請求の範囲
【補正対象項目名】全文
【補正方法】変更
【補正の内容】
【実用新案登録請求の範囲】
【請求項１】
インフレーション成形したポリエチレン製チューブ体(t)で袋体(1)を成形し、その上部封止の開口(2)の横幅(W)の全長にわたって上下段に段付きで線状のヒートシール部(51)・(52)を設けると共に、当該上下段のヒートシール部(51)・(52)を所定高さ(h)の縦線状ヒートシール部(53)で接続し、上記上下段のヒートシール部(51)・(52)の間及び下段のヒートシール部(52)の直下の縦縁辺に一方向性で直線的に引き裂くための溶着部(5′)・(5″)付きノッチ部(6)・(6′)を設け、中身(r)を充填した袋体下部開口縁辺をヒートシールしたことを特徴とするインフレーション成形したチューブ体で加工する封止開口を一直線状の引裂きによりその一部を開封できるポリエチレン製米等の包装袋。
【請求項２】
上部封止の開口(2)の横幅(W)の全長にわたって上段と下段の所定高さ(h)で波状形もしくは弧状形の非直線状ヒートシール部(5)を設け、当該所定高さ(h)の間と下位の直下に溶着部(5′)・(5″)付きノッチ部(6)・(6′)を設けた請求項１記載の米等の包装袋。
【手続補正３】
【補正対象書類名】図面
【補正対象項目名】図１
【補正方法】変更
【補正の内容】
【図１】
0003178317.tif 000009
【手続補正４】
【補正対象書類名】図面
【補正対象項目名】図２
【補正方法】変更
【補正の内容】
【図２】
0003178317.tif 000010
【手続補正５】
【補正対象書類名】図面
【補正対象項目名】図３
【補正方法】変更
【補正の内容】
【図３】
0003178317.tif 000011
【手続補正６】
【補正対象書類名】図面
【補正対象項目名】図４
【補正方法】変更
【補正の内容】
【図４】
0003178317.tif 000012
【手続補正７】
【補正対象書類名】図面
【補正対象項目名】図５
【補正方法】変更
【補正の内容】
【図５】
0003178317.tif 000013
【手続補正８】
【補正対象書類名】図面
【補正対象項目名】図６
【補正方法】変更
【補正の内容】
【図６】
0003178317.tif 000014